(57)【要約】【課題】情報取得に要するびコストの低減を可能にするとともに情報取得にともなう費用処理を行い得る通信装置の提供。【解決手段】通信装置は、取得情報の取得に係る打診信号により指定された採取位置から、端末群に含まれる、前記取得のために採取情報の採取を要請すべき候補端末の所在範囲を特定する特定部と、前記採取情報の内容と前記端末群の各端末の位置とを保持する保持部と、前記位置が前記所在範囲に含まれ、前記要請の実行に対し受諾の旨の応答信号を返し、さらに所定の条件を満たす、前記候補端末からの、前記要請に応じた前記採取情報の送付を受け、前記採取情報による前記取得情報を前記打診信号の送付元に送出する通信部と、前記送出の対価の決済を所定の決済システムに行わせる決済処理部と、を備える。【選択図】      図１
2019057180.tif 000002
【特許請求の範囲】
【請求項１】
取得情報の取得に係る打診信号により指定された採取位置から、端末群に含まれる、前記取得のために採取情報の採取を要請すべき候補端末の所在範囲を特定する特定部と、
前記採取情報の内容と前記端末群の各端末の位置とを保持する保持部と、
前記位置が前記所在範囲に含まれ、前記要請の実行に対し受諾の旨の応答信号を返し、さらに所定の条件を満たす、前記候補端末からの、前記要請に応じた前記採取情報の送付を受け、前記採取情報による前記取得情報を前記打診信号の送付元に送出する通信部と、
前記送出の対価の決済を所定の決済システムに行わせる決済処理部と、
を備える通信装置。
【請求項２】
前記決済処理部が、前記送付の決済を第二決済システムに行わせる、請求項１に記載された通信装置。
【請求項３】
前記取得情報が前記採取情報を加工することにより導出する情報である、請求項１又は２に記載された通信装置。
【請求項４】
前記取得情報と前記採取情報が同一である、請求項１乃至請求項３のうちのいずれか一に記載された通信装置。
【請求項５】
前記位置に係る位置情報の更新を行う、請求項１乃至請求項４のうちのいずれか一に記載された通信装置。
【請求項６】
前記更新が、所定の時間以上前に保持された前記位置情報を削除する処理を含む、請求項５に記載された通信装置。
【請求項７】
前記通信部が、前記送付元に前記送出の対価に係る対価案である送出対価案を送る、請求項１乃至請求項６のうちのいずれか一に記載された通信装置。
【請求項８】
前記送出対価案を前記候補端末から送られた前記送付の対価案である送付対価案から導く、請求項７に記載された通信装置。
【請求項９】
前記送付対価案を前記送出対価案とする、請求項８に記載された通信装置。
【請求項１０】
前記所在範囲が、前記採取位置から所定の距離の範囲である、請求項１乃至請求項９のうちのいずれか一に記載された通信装置。
【発明の詳細な説明】
【技術分野】
【０００１】
本発明は、業務の履行のための処理を行う通信装置に関する。
【背景技術】
【０００２】
スマートフォンやクラウド型ドライブレコーダー、ＩｏＴセンシングデバイスなどの普及により、さまざまな時間、場所において、写真撮影や動画撮影、温度、湿度、天気、交通状況などの情報が自由に採取できるような環境が整いつつある。ここで、ＩｏＴは、Ｉｎｔｅｒｎｅｔ  ｏｆ  Ｔｈｉｎｇｓの略である。
【０００３】
しかしながら、情報採取のためには、情報を必要とする本人が情報採取場所に赴き、他者を雇い現地で直接情報採取を行わせ、又は、情報採取用の装置を現地に設置して遠隔操作により情報採取を行うことが、必要である。そのため、情報採取のための時間を要し、また、移動費用等が上乗せされることにより情報採取のための費用は高価になる。
【０００４】
ここで、特許文献１は、情報依頼端末から受信した情報依頼データを指定された特定地域から一定圏内に所在する情報提供端末に対して送信し、受信した提供データを情報依頼端末に送信する、情報提供サーバを開示する。
【０００５】
また、特許文献２は、第１の端末より受信した依頼データの位置指定情報に基づき、登録された第２の端末の現在位置を参照して、当該位置指定情報が示す位置近傍の第２の端末を選択し、依頼データを送信する情報中継装置を開示する。
【先行技術文献】
【特許文献】
【０００６】
【特許文献１】特開２００４−３４３２３３号公報
【特許文献２】特開２００４−０２３５５４号公報
【発明の概要】
【発明が解決しようとする課題】
【０００７】
特許文献１及び２が開示する方法は、情報取得に要する時間を低減させ得る。しかしながら、特許文献１及び２が開示する方法は、情報取得に係り発生する費用に係る処理を行うことはできない。
【０００８】
本発明は、情報取得に要するコストの低減を可能にするとともに情報取得にともなう費用処理を行い得る通信装置の提供を目的とする。
【課題を解決するための手段】
【０００９】
本発明の通信装置は、取得情報の取得に係る打診信号により指定された採取位置から、端末群に含まれる、前記取得のために採取情報の採取を要請すべき候補端末の所在範囲を特定する特定部と、前記採取情報の内容と前記端末群の各端末の位置とを保持する保持部と、前記位置が前記所在範囲に含まれ、前記要請の実行に対し受諾の旨の応答信号を返し、さらに所定の条件を満たす、前記候補端末からの、前記要請に応じた前記採取情報の送付を受け、前記採取情報による前記取得情報を前記打診信号の送付元に送出する通信部と、前記送出の対価の決済を所定の決済システムに行わせる決済処理部と、を備える。
【発明の効果】
【００１０】
本発明の通信装置は、情報取得に要するコストの低減を可能にするとともに情報取得にともなう費用処理を行い得る。
【図面の簡単な説明】
【００１１】
【図１】本実施形態の通信システムを適用し得る通信システムの構成例を表す概念図である。
【図２】委託試行端末の構成例を表す概念図である。
【図３】管理装置の構成例を表す概念図である。
【図４】管理装置の処理部の構成例を表す概念図である。
【図５】一次候補端末の構成例を表す概念図である。
【図６】一次候補端末の処理部が行う位置情報取得に関する処理の処理フロー例を表す概念図である。
【図７】管理装置の処理部が行う位置情報の取得に関する処理の処理フロー例を表す概念図である。
【図８】管理装置の処理部が行う各一次候補端末の位置情報のメンテナンス処理の処理フロー例を表す概念図である。
【図９】管理装置の処理部が行う委託試行端末からの打診情報の送付を受けた処理の処理フロー例を表す概念図である。
【図１０】管理装置の処理部が行う四次候補端末の選定処理を表す概念図である。
【図１１】二次候補端末の処理部が行う受託に係る処理の処理フロー例を表す概念図である。
【図１２】四次候補端末の処理部が行う対象情報の取得処理の処理フロー例を表す概念図である。
【図１３】委託試行端末の処理部が行う委託及び再委託に係る決済処理の処理フロー例を表す概念図である。
【図１４】実施形態の通信装置の最小限の構成を表す概念図である。
【発明を実施するための形態】
【００１２】
図１は、本実施形態の通信システムを適用し得る通信システムの例である通信システム９００の構成を表す概念図である。
【００１３】
通信システム９００は、通信システム８００と、通信網２００と、決済システム５００とを備える。
【００１４】
通信システム８００は、本実施形態の通信システムである。通信システム８００は、管理装置１００と、端末３００及び４００ａ乃至４００ｃとを備える。管理装置１００と、端末３００及び４００ａ乃至４００ｃの各々と通信網２００により接続されている。当該接続は有線によるものであっても無線によるものであっても構わない。
【００１５】
管理装置１００は、通信網２００により、決済システム５００に接続されている。決済システム５００は、管理装置１００の所有者等と、端末３００及び４００ａ乃至４００ｃの各々の所有者等との間の、対価の支払及び受取に係る決済を行い得るシステムである。ここで、装置又は端末である装置等の「所有者等」は、装置等の所有者などのその装置等の動作により発生する債権や負債を有する者をいうこととする。決済システム５００としては、ＷＥＢを通じての通信販売等において用いられている一般的な決済システムを用い得る。
【００１６】
端末３００は、対象位置における対象情報の取得である対象業務を管理装置１００の所有者等に対して委託するための情報を管理装置１００に対して送付する。端末３００は、上記により、端末３００の所有者等による、前記委託の試行を支援する委託試行端末である。
【００１７】
ここで、前記対象情報は、端末３００の所有者等が取得を希望する情報である。前記対象情報は、例えば、温度、湿度、画像、画像からの導出情報のうちの少なくとも一つ、又は、それらの情報とそれらの情報の取得時刻とを組み合わせた情報である。前記画像から抽出した情報は、例えば、取得した画像に含まれる人の人数である。
【００１８】
また、前記対象位置は、前記委託試行者が前記対象情報の取得を希望する位置又は範囲である。前記対象情報に係る位置情報は、例えば、地球上の位置を表す情報である。前記対象位置情報は、例えば、経度と緯度との組合せや、地名により表現された情報である。
【００１９】
端末３００には、前記対象位置における前記対象情報の取得の対価案である委託対価案等を含む入力情報が、端末３００の利用者等により、入力される。
【００２０】
すると、端末３００は、前記入力情報による情報である打診情報を管理装置１００に送付し、管理装置１００の所有者等に対し前記対象情報の取得を打診する。前記打診情報には、前記委託対価案や委託予定の内容である前記対象業務を表す情報が含まれている。
【００２１】
そして、端末３００は、管理装置１００から、前記対象情報の取得に係る受諾の可否及び受諾可能な場合における受託対価案の送付を待つ。
【００２２】
端末３００は、管理装置１００から受諾する旨と受託対価案が届いた場合は、それらの情報を出力し、利用者等による、その受託対価案が承諾可能か等についての入力を待つ。
【００２３】
端末３００は、受託対価案が承諾可能である旨の入力がされた場合は、前記受託対価案を委託対価とし前記対象情報の取得を委託内容とした委託を行う旨を管理装置１００に送付する。なお、本明細書において、委託は端末３００の所有者等から管理装置１００の所有者等への委託である。また、受託は、管理装置１００の所有者等による前記委託内容の受託である。
【００２４】
そして、端末３００は、管理装置１００から、前記委託の成果である、管理装置１００が取得した前記対象情報の送付を待つ。
【００２５】
端末３００は、管理装置１００から前記対象情報が送付された場合は、当該対象情報を出力する。
【００２６】
管理装置１００は、端末４００ａ乃至４００ｃの各々（各一次候補端末）から送付される各一次候補端末の位置情報により、各一次候補端末の直近の位置を保持している。ここで、一次候補端末は、受託した前記対象情報の取得を再委託する情報を送る候補の端末である。
【００２７】
管理装置１００は、端末３００から、前記打診情報が送付された場合には、前記打診情報に含まれる位置情報から、対象とする位置範囲である対象範囲を導出する。
【００２８】
そして、管理装置１００は、各一次候補端末のいずれかが導出した対象範囲に存在するかを判定する。
【００２９】
管理装置１００は、各一次候補端末のいずれも前記対象範囲に存在しないことを判定した場合は、端末３００に対し、前記対象情報の取得を受託できない旨を通知する。その際に、管理装置１００は、各一次候補端末のいずれかのも前記対象範囲に含まれないためである等の理由を併せて通知しても構わない。
【００３０】
一方、管理装置１００は、各一次候補端末のいずれかが前記対象範囲に存在することを判定した場合は、その前記対象範囲に含まれる一次候補端末を二次候補端末として特定する。そして、管理装置１００は、特定した二次候補端末に対し、前記対象情報の取得の再委託を打診する。ここで、前記再委託は、前記対象情報の取得を対象業務とする管理装置１００の所有者等から端末４００ａ乃至４００ｃの各々の所有者等への委託である。
【００３１】
管理装置１００は、前記再委託の打診を、前記対象情報と前記委託対価案との組合せを送付することにより行う。
【００３２】
そして、管理装置１００は、各二次候補端末から、前記再委託に係る受託の可否及び受託対価案の送付を待つ。
【００３３】
管理装置１００は、所定の時間内に受託の可否及び受託対価案を受けた二次候補端末を三次候補端末として特定する。そして、管理装置１００は、最も安価な受託対価案である最安対価案を送付した三次候補端末を四次候補端末とする。三次候補端末が複数ある場合は、それらのうちの一つを四次候補端末に選定する。当該選定の方法は任意である。
【００３４】
そして、管理装置１００は、受託が可能である旨及び最安対価案を端末３００に送付する。そして、管理装置１００は、送付した最安対価案を承諾する旨の情報である承諾情報が端末３００から送付されるのを待つ。
【００３５】
管理装置１００は、端末３００から前記承諾情報が送付された場合は、前記四次候補端末に対し、前記最安対価案を対価とする前記再委託を行う。そして、管理装置１００は、前記四次候補端末からの、前記再委託に係る成果である前記対象情報の送付を待つ。
【００３６】
管理装置１００は、前記四次候補端末から前記再委託に係る成果である前記対象情報が送付された場合には、送付された前記対象情報を端末３００に送付する。
【００３７】
そして、管理装置１００は、当該委託に係る対価の端末３００の所有者等から管理装置１００の所有者等への支払の決済処理を行う。管理装置１００は、当該決済を、決済システム５００により行う。決済システム５００には、当該決済を行うために必要な、端末３００の所有者等の銀行口座番号、管理装置１００の所有者等の銀行口座番号等の情報が予め登録されているものとする。
【００３８】
次に、管理装置１００は、前記再委託先端末（前記四次候補端末）の所有者等への前記再委託の対価の支払に係る決済処理を行う。管理装置１００は、当該決済処理を決済システム５００により行う。決済システム５００には、当該決済を行うために必要な、端末４００ａ乃至４００ｃの各々の所有者等の銀行口座番号等の情報が予め登録されているものとする。
【００３９】
なお、図１に表す通信システム８００は、前記委託試行端末が一台であり前記一次候補端末が３台である場合の本実施形態の通信システムの例であるが、前記通信システムにおける前記委託試行端末の数や前記一次候補端末の数は任意である。また、前記委託試行端末が前記一次候補端末を兼ねていても構わない。
【００４０】
図２は、図１に表す端末３００の例である端末３００ａの構成を表す概念図である。
【００４１】
端末３００ａは、通信部３１０と、処理部３２０と、記録部３３０と、入力部３４０と、出力部３５０とを備える。
【００４２】
通信部３１０は、処理部３２０が指示する情報を、当該指示に従い、図１に表す管理装置１００に送付する。通信部３１０は、管理装置１００から送付された情報を処理部３２０に送付する。
【００４３】
入力部３４０は、端末３００ａの利用者等により入力された情報を処理部３２０に送付する。入力部３４０は、例えば、入力パネル、キーボード及び音声入力装置である。
【００４４】
出力部３５０は、処理部３２０が指示する情報を出力する。出力部３５０は、例えば、ディスプレイやスピーカ等である。
【００４５】
記録部３３０は、処理部３２０が行う処理に必要なプログラムや情報を予め保持する。記録部３３０は、また、処理部３２０が指示する情報を記録する。記録部３３０は、また、処理部３２０が指示する情報を送付する。
【００４６】
処理部３２０は、前述の入力情報が入力部３４０から送付された場合には、当該入力情報から導出した前記打診情報の図１に表す管理装置１００への送付を通信部３１０に指示する。
【００４７】
処理部３２０は、管理装置１００から前記受託対価案が送付された場合は、当該受託対価案を表す情報の出力を出力部３５０に指示する。出力部３５０から出力された前記受託対価案は端末３００ａの利用者等に提示される。
【００４８】
処理部３２０は、入力部３４０を介して、前記利用者等から前記受託対価案を承諾する旨の送付を受けた場合には、前記対象情報の取得を管理装置１００の所有者等に委託する旨の情報である委託情報の管理装置１００への送付を通信部３１０に指示する。
【００４９】
処理部３２０は、また、前記委託の成果である対象情報の送付を図１に表す管理装置１００から受けた場合には、当該対象情報を、出力部３５０に出力させる。これにより、端末３００ａの利用者等は、前記対象情報の利用等が可能になる。
【００５０】
図３は、図１に表す管理装置１００の例である管理装置１００ａの構成を表す概念図である。
【００５１】
管理装置１００ａは、通信部１１０と、処理部１２０と、記録部１３０とを備える。
【００５２】
通信部１１０は、処理部１２０の指示に従い、処理部１２０が指示する情報を送付先に送付する。当該送付先には、図１に表す端末３００及び４００ａ乃至４００ｃの各々が含まれる。
【００５３】
通信部１１０は、また、送付を受けた情報を処理部１２０に送付する。当該情報には、端末３００及び４００ａ乃至４００ｃの各々が送付した情報が含まれる。
【００５４】
記録部１３０は、通信部１１０及び処理部１２０が行う処理に必要なプログラムや情報を保持する。
【００５５】
記録部１３０は、また、処理部１２０が図１に表す決済システム５００に、前述の決済を行わせるために必要な情報を予め保持する。当該情報は、例えば、管理装置１００ａを特定する情報や図１に表す端末３００及び４００ａ乃至４００ｃの各々を特定する情報である。
【００５６】
記録部１３０は、通信部１１０及び処理部１２０が指示する情報を記録する。
【００５７】
記録部１３０は、また、通信部１１０及び処理部１２０が指示する情報を、当該指示に従い、指示された送付先である通信部１１０及び処理部１２０のいずれかに送付する。
【００５８】
処理部１２０は、前記一次候補端末である端末４００ａ乃至４００ｃの各々から、それらの位置情報の送付を受けた場合には、各一次候補端末の識別情報と各一次候補端末の位置情報とを組み合わせた組合せ情報を記録部１３０に記録させる。処理部１２０は、また、各一次候補端末の位置情報の送付により前記組合せ情報の更新を記録部に行わせる。当該更新は、各一次候補端末の直近の位置情報を保持するために行う処理である。
【００５９】
処理部１２０は、所定の時間更新されていない前記組合せ情報を記録部１３０に削除させても構わない。各一次候補端末はその利用者の移動にともない移動する可能性がある。従い、長い時間更新されていない前記組合せ情報は、一次候補端末の直近の位置を表さない可能性がある。そのため、処理部１２０は、一次候補端末の直近の位置を表さない可能性の高い長い時間更新されていない前記組合せ情報を削除する。
【００６０】
処理部１２０は、図１に表す端末３００から前述の打診情報が送付された場合には、その打診情報に含まれる位置情報を抽出する。
【００６１】
そして、処理部１２０は、抽出した位置情報から前述の対象範囲を特定する。当該対象範囲は、例えば、前記対象位置情報が表す緯度及び経度から、所定の距離内の緯度及び経度の範囲である。当該対象範囲の特定方法は予め定めておく。
【００６２】
次に、処理部１２０は、特定した対象範囲に前記一次候補端末が存在するかについての判定を行う。
【００６３】
処理部１２０は、前記対象範囲に前記一次候補端末が存在しないことを判定した場合には、前記打診情報に係る委託を受託できない旨を表す情報の図１に表す端末３００への送付を通信部１１０に行わせる。
【００６４】
一方、処理部１２０は、前記対象範囲に前記一次候補端末があることを特定した場合は、前記対象範囲にある前記一次候補端末を二次候補端末として特定する。そして、処理部１２０は、各二次候補端末に対し、前記打診情報を送付する。そして、処理部１２０は、各二次候補端末の各々からの前記打診情報への応答を所定時間待つ。
【００６５】
処理部１２０は、当該所定時間内に二次候補端末から受託対価案の送付を受けた場合には、前記所定の時間経過後に、当該所定時間内に送付を受けたものを三次候補端末にする。そして、処理部１２０は、最安値の受託対価案である最安対価案の送付を受けた三次候補端末を四次候補端末とする。
【００６６】
そして、処理部１２０は、最安対価案を図１に表す端末３００に送付する。そして、処理部１２０は、端末３００からの前記打診情報への応答を所定時間待つ。
【００６７】
処理部１２０が、端末３００から前記最安対価案を承諾する旨の通知を受けた場合には、前記対象情報の取得に係る端末３００からの委託についての管理装置１００の所有者等による受託が成立する。そして、処理部１２０は、前記四次候補端末に対し、前記最安対価案を対価とする前記対象情報の取得を再委託する旨の情報を送付する。当該再委託により、前記四次候補端末は再委託先端末になる。また、前記最安対価案は再委託対価になる。
【００６８】
処理部１２０は、前記再委託先端末である前記四次候補端末から、前記再委託の結果である前記対象情報の送付を受けた場合には、前記対象情報を記録部１３０に記録させる。
【００６９】
そして、処理部１２０は、記録部１３０に記録した前記対象情報の図１に表す端末３００への送付を通信部１１０に行わせる。
【００７０】
そして、処理部１２０は、図１に表す決済システム５００に、端末３００の所有者等を特定する情報、管理装置１００の所有者等を表す情報、及び、前記再委託対価の金額を送付する。そして、処理部１２０は、決済システム５００に、端末３００の所有者等から管理装置１００の所有者等への前記委託対価の支払の決済を行わせる。
【００７１】
そして、処理部１２０は、前記再委託先端末の所有者等を特定する情報を決済システム５００に対して送付する。そして、管理装置１００は、決済システム５００に、管理装置１００から前記再委託先端末への前記再委託対価の支払の決済を行わせる。
【００７２】
図４は、図３に表す処理部１２０の例である処理部１２０ａの構成を表す概念図である。
【００７３】
処理部１２０ａは、位置情報処理部１２１と、再委託処理部１２２と、決済処理部１２３とを備える。
【００７４】
位置情報処理部１２１は、図３に表す処理部１２０が行う前述の動作のうち、前記一次候補端末から送付される前記一次候補端末の位置情報に関する処理を行う。
【００７５】
再委託処理部１２２は、図３に表す処理部１２０が行う前述の動作のうち、前記打診情報、前記受託対価案、前記委託及び前記再委託に関する処理を行う。
【００７６】
決済処理部１２３は、図３に表す処理部１２０が行う前述の動作のうち、前記決済に関する処理を行う。
【００７７】
図５は、前記一次候補端末である図１に表す端末４０１ａ乃至４００ｃの各々の例である端末４０１の構成を表す概念図である。
【００７８】
端末４０１は、通信部４１０と、処理部４２０と、記録部４３０と、入力部４４０と、出力部４５０と、位置測定部４６０と、情報取得部４７０とを備える。
【００７９】
通信部４１０は、処理部４２０が指示する情報を、当該指示に従い、図１に表す管理装置１００に送付する。通信部４１０は、また、管理装置１００から送付された情報を処理部４２０に送付する。
【００８０】
入力部４４０は、端末４０１の利用者等により入力された情報を処理部４２０に送付する。入力部４４０は、例えば、入力パネル、キーボード及び音声入力装置である。
【００８１】
出力部４５０は、処理部４２０が指示する情報を出力する。出力部４５０は、例えば、ディスプレイやスピーカである。
【００８２】
記録部４３０は、処理部４２０が行う処理に必要なプログラムや情報を予め保持する。記録部４３０は、また、処理部４２０が指示する情報を記録する。記録部４３０は、また、処理部４２０が指示する情報を送付する。
【００８３】
位置測定部４６０は、端末４０１の位置を例えばＧＰＳを利用することにより特定する。ここで、ＧＰＳは、ｇｌｏｂａｌ  ｐｏｓｉｔｉｏｎｉｎｇ  ｓｙｓｔｅｍの略である。位置測定部４６０は取得した位置情報を処理部４２０に継続的に送付する。
【００８４】
情報取得部４７０は、処理部４２０の指示があり、所定条件を満たす場合には、指示された情報を取得する。前記所定条件は、例えば、端末４０１の使用者等によりもたらされる内容についてのものである。仮に、対象情報の取得が対象の撮像である場合には、前記所定条件は、例えば、前記撮像用のカメラのシャッターが押下されることである。情報取得部４７０は、取得した情報を処理部４２０に送付する。
【００８５】
処理部４２０は、位置測定部４６０から送付された端末４０１の位置を表す位置情報の図１に表す管理装置１００への送付を通信部４１０に行わせる。処理部４２０が前記対象位置情報の送付を通信部４１０に行わせる間隔は任意である。当該間隔は、例えば、一定間隔である。
【００８６】
処理部４２０は、管理装置１００から、前記打診情報の送付があった場合は、当該打診情報に含まれる対象業務を表す情報と委託対価案とを出力部４５０に出力させる。
【００８７】
そして、処理部４２０は、所定時間内に入力部４４０に受託対価案等の入力があった場合は、当該受託対価案の図１に表す管理装置１００への送付を通信部４１０に行わせる。
【００８８】
処理部４２０はまた、管理装置１００から、前記受託対価案を委託対価とする再委託の通知が送付された場合は、再委託された旨を表す情報の出力を出力部４５０に指示する。
【００８９】
そして、処理部４２０は、情報取得部４７０を前記対象情報の取得が可能な状態にする。
【００９０】
そして、処理部４２０は、前記再委託の成果である取得した前記対象情報の管理装置１００への送付を通信部４１０に行わせる。
［処理フロー］
図６は、前記一次候補端末である図５に表す端末４０１の処理部４２０が行う、端末４０１の位置情報取得に関する処理の処理フロー例を表す概念図である。
【００９１】
処理部４２０は、例えば、外部からの開始情報の入力により図６に表す処理を開始する。
【００９２】
そして、処理部４２０は、Ｓ１０１の処理として、処理部４２０の位置情報の特定が可能かについての判定を行う。処理部４２０は、当該判定を、例えば、処理部４２０がＧＰＳを利用できる環境にあるかを判定することにより行う。処理部４２０は、当該判定を、例えば、位置測定部４６０から送付される信号が位置を表すものかを判定することにより行う。
【００９３】
処理部４２０は、Ｓ１０１の処理による判定結果がｙｅｓの場合は、Ｓ１０２の処理を行う。
【００９４】
一方、処理部４２０は、Ｓ１０１の処理による判定結果がｎｏの場合は、Ｓ１０１の処理を再度行う。
【００９５】
処理部４２０は、Ｓ１０２の処理を行う場合は、同処理として、位置測定部４６０から送付された信号により、処理部４２０の位置を特定する。
【００９６】
そして、処理部４２０は、Ｓ１０３の処理として、Ｓ１０２の処理により特定した位置情報の図１に表す管理装置１００への送付が可能かについての判定を行う。処理部４２０は、当該判定を、例えば他の情報の送付との重要度を比較することにより行う。
【００９７】
処理部４２０は、Ｓ１０３の処理による判定結果がｙｅｓの場合は、Ｓ１０４の処理を行う。
【００９８】
一方、処理部４２０は、Ｓ１０３の処理による判定結果がｎｏの場合は、Ｓ１０３の処理を再度行う。
【００９９】
処理部４２０は、Ｓ１０４の処理を行う場合は、同処理として、Ｓ１０２の処理により特定した位置情報を一次候補端末のＩＤと組み合わせた情報を管理装置１００に送付する。ここで、ＩＤはＩｄｅｎｔｉｆｉｅｒの略である。
【０１００】
そして、処理部４２０は、Ｓ１０５の処理として、図６に表す処理を終了するかについての判定を行う。処理部４２０は、当該判定を、例えば、外部からの終了情報の入力の有無を判定することにより行う。
【０１０１】
処理部４２０は、Ｓ１０５の処理による判定結果がｙｅｓの場合は、図６に表す処理を終了する。
【０１０２】
一方、処理部４２０は、Ｓ１０５の処理による判定結果がｎｏの場合は、Ｓ１０１の処理を再度行う。
【０１０３】
図７は、図３に表す管理装置１００ａの処理部１２０が行う、各一次候補端末の位置情報取得に関する処理の処理フロー例を表す概念図である。
【０１０４】
処理部１２０は、例えば、外部からの開始情報の入力により図７に表す処理を開始する。
【０１０５】
そして、処理部１２０は、Ｓ２０１の処理として、一次候補端末から前記組合せ情報の送付を受けたかについての判定を行う。当該組合せ情報は、前述のように、その一次候補端末の位置情報とその一次候補端末のＩＤとを組み合わせた情報である。
【０１０６】
処理部１２０は、Ｓ２０１の処理による判定結果がｙｅｓの場合は、Ｓ２０２の処理を行う。
【０１０７】
一方、処理部１２０は、Ｓ２０１の処理による判定結果がｎｏの場合は、Ｓ２０１の処理を再度行う。
【０１０８】
処理部１２０は、Ｓ２０２の処理を行う場合は、同処理として、Ｓ２０１の処理により送付を受けたことを判定した組合せ情報からＩＤを抽出する。
【０１０９】
そして、処理部１２０は、Ｓ２０３の処理として、Ｓ２０２の処理により抽出したＩＤの組合せ情報が、図３に表す記録部１３０に記録されているかについての判定を行う。
【０１１０】
処理部１２０は、Ｓ２０３の処理による判定結果がｙｅｓの場合は、Ｓ２０４の処理を行う。
【０１１１】
一方、処理部１２０は、Ｓ２０３の処理による判定結果がｎｏの場合は、Ｓ２０５の処理を行う。
【０１１２】
処理部１２０は、Ｓ２０４の処理を行う場合は、同処理として、Ｓ２０３の処理により記録部１３０に記録されていることを判定した組合せ情報をＳ２０１の処理により送付を受けたことを判定した組合せ情報で書き換える。そして、処理部１２０はＳ２０６の処理を行う。
【０１１３】
処理部１２０は、Ｓ２０５の処理を行う場合は、同処理として、Ｓ２０１の処理により受けたことを判定した組合せ情報を記録部１３０に記録させる。そして、処理部１２０はＳ２０６の処理を行う。
【０１１４】
処理部１２０は、Ｓ２０６の処理を行う場合は、同処理として、図７に表す処理を終了するかについての判定を行う。処理部１２０は、当該判定を、例えば、外部からの終了情報の入力の有無を判定することにより行う。
【０１１５】
処理部１２０は、Ｓ２０６の処理による判定結果がｙｅｓの場合は、図７に表す処理を終了する。
【０１１６】
一方、処理部１２０は、Ｓ２０６の処理による判定結果がｎｏの場合は、Ｓ２０１の処理を再度行う。
【０１１７】
図８は、図３に表す管理装置１００ａの処理部１２０が行う、各一次候補端末の位置情報のメンテナンス処理の処理フロー例を表す概念図である。当該メンテナンス処理は、保持したタイミングが古い一次候補端末の組合せ情報を削除する処理である。
【０１１８】
処理部１２０は、例えば、外部からの開始情報の入力により、図８に表す処理を開始する。
【０１１９】
そして、処理部１２０は、Ｓ２２１の処理として、記録部１３０が組合せ情報を保持している一次候補端末のＩＤとそのＩＤに係る組合せ情報の保持開始時刻との組合せである第二の組合せ情報をリストにする。
【０１２０】
そして、処理部１２０は、Ｓ２２２の処理として、Ｓ２２１の処理により作成したリストに、Ｓ２２３の処理を行っていないＩＤがあるかについての判定を行う。
【０１２１】
処理部１２０は、Ｓ２２２の処理による判定結果がｙｅｓの場合は、Ｓ２２３の処理を行う。
【０１２２】
一方、処理部１２０は、Ｓ２２２の処理による判定結果がｎｏの場合は、Ｓ２２６の処理を行う。
【０１２３】
処理部１２０は、Ｓ２２３の処理を行う場合は、同処理として、同処理を行っていないＩＤの一つをリストから特定する。
【０１２４】
そして、処理部１２０は、Ｓ２２４の処理として、そのＩＤの組合せ情報の保持開始時刻は、現在の時刻より時間Ｔ２以上前かについての判定を行う。
【０１２５】
処理部１２０は、Ｓ２２４の処理による判定結果がｙｅｓの場合は、Ｓ２２５の処理を行う。
【０１２６】
一方、処理部１２０は、Ｓ２２４の処理による判定結果がｎｏの場合は、Ｓ２２２の処理を再度行う。
【０１２７】
処理部１２０は、Ｓ２２５の処理を行う場合は、同処理として、Ｓ２２３の処理により特定したＩＤを前記リストから削除する。そして処理部１２０は、Ｓ２２２の処理を再度行う。
【０１２８】
処理部１２０は、Ｓ２２６の処理を行う場合は、同処理として、Ｓ２２１の処理により作成したリストを削除する。
【０１２９】
そして、処理部１２０は。Ｓ２２７の処理として、図８に表す処理を終了するかについての判定を行う。処理部１２０は、当該判定を、例えば外部からの終了情報の入力の有無を判定することにより行う。
【０１３０】
処理部１２０は、Ｓ２２７の処理による判定結果がｙｅｓの場合は、図８に表す処理を終了する。
【０１３１】
一方、処理部１２０は、Ｓ２２７の処理による判定結果がｎｏの場合は、Ｓ２２１の処理を再度行う。
【０１３２】
図９は、図３に表す管理装置１００ａの処理部１２０が行う、委託試行端末である図１に表す端末３００からの打診情報の送付を受けた処理の処理フロー例を表す概念図である。
【０１３３】
処理部１２０は、外部からの開始情報の入力等により図９に表す処理を開始する。
【０１３４】
そして、処理部１２０は、Ｓ３０１の処理として、端末３００から前述の打診情報の送付を受けたかについての判定を行う。
【０１３５】
処理部１２０は、Ｓ３０１の処理による判定結果がｙｅｓの場合は、Ｓ３０２の処理を行う。
【０１３６】
一方、処理部１２０は、Ｓ３０１の処理による判定結果がｎｏの場合は、Ｓ３０１の処理を再度行う。
【０１３７】
処理部１２０は、Ｓ３０２の処理を行う場合は、同処理として、Ｓ３０１の処理により送付を受けたことを判定した打診情報に含まれる位置情報から前記対象範囲を特定する。前記対象範囲は、例えば、打診情報に含まれる位置情報が表す位置から所定の距離の範囲である。Ｓ３０２の処理は、前記対象位置情報が表す位置の近傍の範囲を特定する趣旨で行われるものである。
【０１３８】
そして、処理部１２０は、Ｓ３０３の処理として、Ｓ３０２の処理により特定した対象範囲に位置する前記一次候補端末である二次候補端末が存在するかについての判定を行う。
【０１３９】
処理部１２０は、Ｓ３０３の処理による判定結果がｙｅｓの場合は、Ｓ３０４の処理を行う。
【０１４０】
一方、処理部１２０は、Ｓ３０３の処理による判定結果がｎｏの場合は、Ｓ３０５の処理を行う。
【０１４１】
処理部１２０は、Ｓ３０４の処理を行う場合は、同処理として、Ｓ３０３の処理により存在することを判定した各二次候補端末に対し、Ｓ３０１の処理により送付を受けたことを判定した打診情報を送付する。
【０１４２】
処理部１２０は、Ｓ３０５の処理を行う場合は、同処理として、Ｓ３０３の処理により二次候補端末が存在しないことを判定した時刻から時間Ｔ３が経過したかについての判定を行う。
【０１４３】
処理部１２０は、Ｓ３０５の処理による判定結果がｙｅｓの場合は、Ｓ３０６の処理を行う。
【０１４４】
一方、処理部１２０は、Ｓ３０５の処理による判定結果がｎｏの場合は、Ｓ３０３の処理を再度行う。
【０１４５】
前述のＳ３０５の処理は、二次候補端末がないことを判定した場合に、時間Ｔ３が経過するまでに、一次候補端末が、移動により前記範囲に入る可能性を期待して行う処理である。
【０１４６】
処理部１２０は、Ｓ３０６の処理を行う場合は、通信部１１０に対し、同処理として、委託試行端末である図１に表す端末３００に対しての、前記打診情報に係る受託をできない旨の通知の送付を指示する。そして、処理部１２０は、Ｓ３０７の処理を行う。
【０１４７】
処理部１２０は。Ｓ３０７の処理を行う場合は、同処理として、図９に表す処理を終了するかについての判定を行う。処理部１２０は、当該判定を、例えば外部からの終了情報の入力の有無を判定することにより行う。
【０１４８】
処理部１２０は、Ｓ３０７の処理による判定結果がｙｅｓの場合は、図９に表す処理を終了する。
【０１４９】
一方、処理部１２０は、Ｓ３０７の処理による判定結果がｎｏの場合は、Ｓ３０１の処理を再度行う。
【０１５０】
図１０は、図３に表す処理部１２０が行う再委託先端末である第四候補端末の選定処理を表す概念図である。
【０１５１】
処理部１２０は、まず、外部からの開始情報の入力等により図１０に表す処理を開始する。
【０１５２】
そして、処理部１２０は、Ｓ３２１の処理として、処理部１２０が各二次候補端末に対し打診情報を送付したかについての判定を行う。処理部１２０による各二次候補端末に対する打診情報の送付は、例えば、図９に表すＳ３０４の処理である。
【０１５３】
処理部１２０は、Ｓ３２１の処理による判定結果がｙｅｓの場合は、Ｓ３２２の処理を行う。
【０１５４】
一方、処理部１２０は、Ｓ３２１の処理による判定結果がｎｏの場合は、Ｓ３２１の処理を再度行う。
【０１５５】
処理部１２０は、Ｓ３２２の処理を行う場合は、同処理として、Ｓ３２１の処理が終了してから時間Ｔ４が経過したかについての判定を行う。ここで、時間Ｔ４は、時間Ｔ４の間に打診情報への応答があった二次候補端末を三次候補端末に選定する趣旨で予め設定された時間である。
【０１５６】
処理部１２０は、Ｓ３２２の処理による判定結果がｙｅｓの場合は、Ｓ３２５の処理を行う。
【０１５７】
一方、処理部１２０は、Ｓ３２２の処理による判定結果がｎｏの場合は、Ｓ３２３の処理を行う。
【０１５８】
処理部１２０は、Ｓ３２３の処理を行う場合は、同処理として、Ｓ３２１の処理により送信したことを判定した打診情報への応答が、いずれかの二次候補端末からあったかについての判定を行う。
【０１５９】
処理部１２０は、Ｓ３２３の処理による判定結果がｙｅｓの場合は、Ｓ３２４の処理を行う。
【０１６０】
一方、処理部１２０は、Ｓ３２３の処理による判定結果がｎｏの場合は、Ｓ３２２の処理を再度行う。
【０１６１】
処理部１２０は、Ｓ３２４の処理を行う場合は、再委託に係る受託意思を表す情報の有無と、受託意思を表す情報がある場合における受託対価案とを、その三次候補端末のＩＤと関連付けた情報である受託案情報を、記録部１３０に記録させる。前記受託案情報は、Ｓ３２４の処理により返信があったことを判定した当該返信に含まれるものである。そして、処理部１２０はＳ３２２の処理を再度行う。
【０１６２】
処理部１２０は、Ｓ３２５の処理を行う場合は、同処理として、直近のＳ３２２の処理を開始してから終了するまでの間に記録部１３０に記録させた受託案情報はあるかについての判定を行う。
【０１６３】
処理部１２０は、Ｓ３２５の処理による判定結果がｙｅｓの場合は、Ｓ３２７の処理を行う。
【０１６４】
一方、処理部１２０は、Ｓ３２５の処理による判定結果がｎｏの場合は、Ｓ３３３の処理を行う。
【０１６５】
処理部１２０は、Ｓ３２７の処理を行う場合は、同処理として、図１に表す端末３００に対し、Ｓ３２５の処理により記録部１３０が記録している受託案情報に含まれる受託対価案のうちの最安値である最安対価案を送付する。
【０１６６】
そして、処理部１２０は、Ｓ３２８の処理として、Ｓ３２７の処理を終了してから時間Ｔ５が経過したかについての判定を行う。時間Ｔ５は、Ｓ３２７の処理により端末３００に送付した最安対価案についての端末３００からの応答を待つ時間という趣旨で予め設定された時間である。
【０１６７】
処理部１２０は、Ｓ３２８の処理による判定結果がｙｅｓの場合は、Ｓ３３４の処理を行う。
【０１６８】
一方、処理部１２０は、Ｓ３２８の処理による判定結果がｎｏの場合は、Ｓ３２９の処理を行う。
【０１６９】
処理部１２０は、Ｓ３２９の処理を行う場合は、同処理として、図１に表す端末３００から、Ｓ３２７の処理として送付した最安対価案の承諾の可否を表す応答を受けたかについての判定を行う。
【０１７０】
処理部１２０は、Ｓ３２９の処理による判定結果がｙｅｓの場合は、Ｓ３３０の処理を行う。
【０１７１】
一方、処理部１２０は、Ｓ３２９の処理による判定結果がｎｏの場合は、Ｓ３２８の処理を再度行う。
【０１７２】
処理部１２０は、Ｓ３３０の処理を行う場合は、同処理として、Ｓ３２９の処理により受信した応答に最安対価案を承諾する旨の情報が含まれているかについての判定を行う。
【０１７３】
処理部１２０は、Ｓ３３０の処理による判定結果がｙｅｓの場合は、Ｓ３３１の処理を行う。
【０１７４】
一方、処理部１２０は、Ｓ３３０の処理による判定結果がｎｏの場合は、Ｓ３３２の処理を行う。
【０１７５】
処理部１２０は、Ｓ３３１の処理を行う場合は、同処理として四次候補端末に対し、対象情報の受特に係る再委託を行う旨を表す採択情報を送付する。ここで、前記四次候補端末は、Ｓ３３０の処理により、端末３００により承諾されたことが判定された最安対価案を含む受託案情報を返信したことをＳ３２３の処理により判定した四次候補端末である。そして、処理部１２０は、Ｓ３３１の処理として、前記四次候補端末以外の三次候補端末に対し、前記対象情報取得を再委託しない旨を表す情報である不採択情報を送付する。そして、処理部１２０は、Ｓ３３４の処理を行う。
【０１７６】
処理部１２０は、Ｓ３３２の処理を行う場合は、すべての三次候補端末に対し、前記不採択情報を送付する。そして、処理部１２０は、Ｓ３３４の処理を行う。
【０１７７】
処理部１２０は、Ｓ３３３の処理を行う場合は、図１に表す端末３００に対し、前記対象情報の取得に係る受託を行わない旨を通知する。そして、処理部１２０は、Ｓ３３４の処理を行う。
【０１７８】
処理部１２０は、Ｓ３３４の処理を行う場合は、同処理として、図１０に表す処理を終了するかについての判定を行う。処理部１２０は、前記判定を、例えば、外部からの終了情報の入力の有無を判定することにより行う。
【０１７９】
処理部１２０は、Ｓ３３４の処理による判定結果がｙｅｓの場合は、図１０に表す処理を終了する。
【０１８０】
一方、処理部１２０は、Ｓ３３４の処理による判定結果がｎｏの場合は、Ｓ３２１の処理を再度行う。
【０１８１】
図１１は、二次候補端末である図５に表す端末４０１の処理部４２０が行う、再委託に係る受託に関する処理の処理フロー例を表す概念図である。
【０１８２】
処理部４２０は、まず、外部からの開始情報の入力等により図１１に表す処理を開始する。
【０１８３】
そして、処理部４２０は、Ｓ４０１の処理として、図１に表す管理装置１００から前述の打診情報の送付を受けたかについての判定を行う。
【０１８４】
処理部４２０は、Ｓ４０１の処理による判定結果がｙｅｓの場合は、Ｓ４０２の処理を行う。
【０１８５】
一方、処理部４２０は、Ｓ４０１の処理による判定結果がｎｏの場合は、Ｓ４０１の処理を再度行う。
【０１８６】
処理部４２０は、Ｓ４０２の処理を行う場合は、同処理として、図５に表す出力部４５０に前記打診情報を出力させる。
【０１８７】
そして、処理部４２０は、Ｓ４０３の処理として、Ｓ４０２の処理により出力した前記打診情報に含まれる前記対象業務に係る再委託を請けるかについての判定を行う。処理部４２０は、当該判定を、例えば、図５に表す入力部４４０から入力される入力情報により行う。
【０１８８】
処理部４２０は、Ｓ４０３の処理による判定結果がｙｅｓの場合は、Ｓ４０４の処理を行う。
【０１８９】
一方、処理部４２０は、Ｓ４０３の処理による判定結果がｎｏの場合は、Ｓ４０９の処理を行う。
【０１９０】
処理部４２０は、Ｓ４０４の処理を行う場合は、同処理として、前記対象業務に係る前記再委託を請ける旨を表す応答情報を作成する。
【０１９１】
そして、処理部４２０は、Ｓ４０５の処理として、前記打診情報に含まれる前記委託対価案を承諾するかについての判定を行う。処理部４２０は当該判定を、例えば、図５に表す入力部４４０から入力される入力情報により行う。
【０１９２】
処理部４２０は、Ｓ４０５の処理による判定結果がｙｅｓの場合は、Ｓ４０７の処理を行う。
【０１９３】
一方、処理部４２０は、Ｓ４０５の処理による判定結果がｎｏの場合は、Ｓ４０６の処理を行う。
【０１９４】
処理部４２０は、Ｓ４０６の処理を行う場合は、Ｓ４０４の処理により作成した応答情報に受託対価案を追加する。そして、処理部４２０は、Ｓ４０８の処理を行う。
【０１９５】
一方、処理部４２０は、Ｓ４０７の処理を行う場合は、Ｓ４０４の処理により作成した応答情報に前記打診情報に含まれる委託対価案を承諾する旨を追加する。そして、処理部４２０は、Ｓ４０８の処理を行う。
【０１９６】
処理部４２０は、Ｓ４０８の処理を行う場合は、同処理として、図１に表す管理装置１００に対し前記応答情報を送付する。当該応答情報は、Ｓ４０６の処理により受託対価案を追加するか、Ｓ４０７の処理により委託対価案を承諾する旨を追加したものである。そして、処理部４２０は、Ｓ４０９の処理を行う。
【０１９７】
処理部４２０は、Ｓ４０９の処理を行う場合は、同処理として、図１１に表す処理を終了するかについての判定を行う。処理部４２０は、当該判定を、例えば、外部からの終了情報の入力の有無を判定することにより行う。
【０１９８】
処理部４２０は、Ｓ４０９の処理による判定結果がｙｅｓの場合は、図１１に表す処理を終了する。
【０１９９】
一方、処理部４２０は、Ｓ４０９の処理による判定結果がｎｏの場合は、Ｓ４０１の処理を再度行う。
【０２００】
図１２は、四次候補端末である図５に表す処理部４２０が行う、対象情報の取得処理の処理フロー例を表す概念図である。
【０２０１】
処理部４２０は、例えば、外部からの開始情報の入力により図１２に表す処理を開始する。
【０２０２】
そして、処理部４２０は、Ｓ４２１の処理として、図１に表す管理装置１００から採択情報の送付を受けたかについての判定を行う。当該採択情報は、管理装置１００が、例えば、図１０に表すＳ３３１の処理により送付するものである。
【０２０３】
処理部４２０は、Ｓ４２１の処理による判定結果がｙｅｓの場合は、Ｓ４２２の処理を行う。
【０２０４】
一方、処理部４２０は、Ｓ４２１の処理による判定結果がｎｏの場合は、Ｓ４２１の処理を再度行う。
【０２０５】
処理部４２０は、Ｓ４２２の処理を行う場合は、採択情報の出力を図５に表す出力部４５０に行わせる。
【０２０６】
そして、処理部４２０は、Ｓ４２３の処理として、図５に表す情報取得部４７０による前記対象情報の取得を可能化する。
【０２０７】
そして、処理部４２０は、取得した前記対象情報が情報取得部４７０から送付されたかについての判定を行う。
【０２０８】
処理部４２０は、Ｓ４２４の処理による判定結果がｙｅｓの場合は、Ｓ４２５の処理を行う。
【０２０９】
一方、処理部４２０は、Ｓ４２４の処理による判定結果がｎｏの場合は、Ｓ４２４の処理を再度行う。
【０２１０】
処理部４２０は、Ｓ４２５の処理を行う場合には、同処理として、情報取得部４７０から送付された対象情報の管理装置１００への送付を、図５に表す通信部４１０に行わせる。
【０２１１】
そして、処理部４２０は、Ｓ４２６の処理として、図１２に表す処理を終了するかについての判定を行う。処理部４２０は、当該判定を、例えば、外部からの終了情報の入力の有無を判定することにより行う。
【０２１２】
処理部４２０は、Ｓ４２６の処理による判定結果がｙｅｓの場合は、図１２に表す処理を終了する。
【０２１３】
一方、処理部４２０は、Ｓ４２６の処理による判定結果がｎｏの場合は、Ｓ４２１の処理を再度行う。
【０２１４】
図１３は、図３に表す管理装置１００ａの処理部１２０が行う、委託及び再委託に係る決済処理の処理フロー例を表す概念図である。
【０２１５】
処理部１２０は、例えば、外部からの開始情報の入力により図１３に表す処理を行う。
【０２１６】
そして、処理部１２０は、Ｓ４４１の処理として、前記再委託先端末である前記四次候補端末から前記対象情報の送付を受けたかについての判定を行う。
【０２１７】
処理部１２０は、Ｓ４４１の処理による判定結果がｙｅｓの場合は、Ｓ４４２の処理を行う。
【０２１８】
一方、処理部１２０は、Ｓ４４１の処理による判定結果がｎｏの場合は、Ｓ４４１の処理を再度行う。
【０２１９】
処理部１２０は、Ｓ４４２の処理を行う場合は、同処理として、Ｓ４４１の処理により前記再委託先端末から送付を受けたことを判定した前記対象情報を、図３に表す記録部１３０に記録させる。
【０２２０】
そして、処理部１２０は、Ｓ４４３の処理として、Ｓ４４２の処理により記録させた前記対象情報の図１に表す端末３００への送付を、図３に表す通信部１１０に行わせる。
【０２２１】
次に、処理部１２０は、Ｓ４４４の処理として、端末３００の所有者等である委託者から管理装置１００の所有者等への前記委託の対価納入に係る決済を、図１に表す決済システム５００に行わせる。処理部１２０は、当該決済を、例えば、決済金額、端末３００の所有者等を特定する情報及び管理装置１００の所有者等を特定する情報の決済システム５００への送付を、図３に表す通信部１１０に行わせることにより行う。
【０２２２】
次に、処理部１２０は、Ｓ４４５の処理として、管理装置１００の所有者等から再委託先端末の所有者等へのその対価支払に係る決済を、図１に表す決済システム５００に行わせる。処理部１２０は、当該決済を、例えば、決済金額及び再委託先端末の所有者等を特定する情報の決済システム５００への送付を、図３に表す通信部１１０に行わせることにより行う。
【０２２３】
そして、処理部１２０は、Ｓ４４６の処理として、図１３に表す処理を終了するかについての判定を行う。処理部１２０は、当該判定を、例えば、外部からの終了情報の入力の有無を判定することにより行う。
【０２２４】
処理部１２０は、Ｓ４４６の処理による判定結果がｙｅｓの場合は、図１３に表す処理を終了する。
【０２２５】
一方、処理部４２０は、Ｓ４４６の処理による判定結果がｎｏの場合は、Ｓ４４１の処理を再度行う。
【０２２６】
以上説明した本実施形態の通信システムが行う動作を要約して説明すると以下のようになる。
【０２２７】
本実施形態の通信システムの委託試行端末は、前記対象業務の管理装置への委託を試行する際には、前記管理装置に対し、前記打診情報を送付する。ここで、前記対象業務は、対象位置における対象情報の取得である。また、前記打診情報は、前記対象位置、前記対象情報を表す情報及び取得した前記対象情報を送付することの委託対価案を含む情報である。
【０２２８】
当該送付を受けて、前記管理装置は、前記対象位置の近傍にある前記一次候補端末を前記二次候補端末に選定する。そして、前記管理装置は、前記二次候補端末に対し、前記委託対価案の支払による前記対象業務の再委託を打診する（第一打診）。
【０２２９】
前記管理装置は、前記第一打診に応じる旨を応答した前記二次候補端末を三次候補端末とする。そして、前記管理装置は、前記応答に含まれる受託対価案が最安値の三次候補端末を四次候補端末とする。
【０２３０】
前記管理装置は、四次候補端末が送付した受託対価案である最安対価案を前記委託試行端末に送付する。
【０２３１】
そして、前記管理装置は、前記最安対価案を承諾する旨の情報が、前記四次候補端末から送付された場合には、前記四次候補端末に、前記対象業務を委託する旨の情報を行う。
【０２３２】
そして、前記管理装置は、前記四次候補端末から、前記対象業務の履行の結果である前記対象位置における前記対象情報が送付されると、その前記対象情報を前記委託試行端末に送付する。
【０２３３】
さらに前記管理装置は、前記委託試行端末の所有者等から前記管理装置の所有者等への対価支払に係る決済、及び、前記管理装置の所有者等から前記四次候補端末の所有者等への対価支払に係る決済を、決済システムに行わせる。
［効果］
本実施形態の通信システムにおいて、委託試行端末により委託される対象業務は、前記対象業務履行に使われる前記四次候補端末がたまたま前記対象位置の近傍にあるときに行われるものである。そのため、前記通信システムは、前記委託試行端末の利用者等や前記利用者等に委託等された者が、前記対象位置に出向かなくても、対象情報を取得できる確率を向上させ得る。そのため、前記通信システムは、前記対象情報を取得するための費用を低減させ得る。
【０２３４】
さらに、前記対象業務の履行の対価は、前記第三対象端末が複数ある場合には、それらの第三対象端末が前記管理装置に送付した受託対価案のうちの最安値のものである。従い、前記通信システムは、前記委託試行端末の所有者等が、前記対象情報を取得するための費用を一層低減させ得る。
【０２３５】
さらには、前記通信システムは、前記委託及び再委託の対価を決済し得る。すなわち、前記通信システムは、前記対象業務を前記四次候補端末により履行させることにより発生する費用の処理を行い得る。
【０２３６】
上記効果は、前記一次候補端末が携帯端末を含む場合のように、多くの対象位置の周囲に多数の前記一次候補端末が存在する状況において顕著である。その理由は、多くの対象位置の周囲に多数の前記一次候補端末が存在することにより前記三次候補端末が存在する確率や存在する場合におけるそれらの数が多いことが期待できるからである。当該場合は、前記四次候補端末を選定することができる確率が向上し、さらには、前記三次候補端末間の受託対価案の競合により、より安価な受託対価案を送付した前記三次候補端末を前記四次候補端末に選定する確率が向上するからである。
【０２３７】
以上の説明では、打診情報には委託対価案が含まれる例について説明した。しかしながら、打診情報には、前記委託対価案とともに、又は、前記委託対価案に代えて、委託試行端末の所有者等が支払う委託対価の上限や、委託対価の参考値が含まれていても構わない。
【０２３８】
また、以上の説明では、委託端末が管理装置に送付した打診情報を、管理装置がそのまま二次候補端末に送付する例を説明した。しかしながら、委託端末が管理装置に送付する第一打診情報と、前記第一打診情報を受けて前記管理装置が作成し、前記管理装置が二次候補端末の送付する第二打診情報とは異なっていても構わない。
【０２３９】
その場合において、前記第一打診情報に含まれる対価関連情報である第一対価情報と前記第二打診情報に含まれる対価関連情報である第二対価情報とが異なっていても構わない。その場合において、前記第一対価情報から第二対価情報への変換ルールや変換式が予め定められていても構わない。
【０２４０】
また、上記場合において、前記第一打診情報に含まれる委託内容である第一内容と前記第二打診情報に含まれる委託内容である第二内容とが異なっていても構わない。その場合、前記管理装置は、例えば、前記第二内容の履行による成果情報により導出した情報を前記第一内容の履行による成果物として前記委託試行端末に送付する。その場合において、前記第一内容から第二内容への変換ルールや変換式が予め定められていても構わない。
【０２４１】
さらには、管理装置が一次候補端末を兼ねていても構わない。その場合、委託試行端末から前記打診情報を受けた一次候補端末は、その一次候補端末が前記対象範囲にあることを自ら判定すると、自らを前記三次候補端末とする。そして、前記三次候補端末は、所定の場合に、自らを前記四次候補端末とする。当該所定の場合は、例えば、前記三次候補端末が送付した受託対価案を承諾する旨の情報が前記委託試行端末から送付された場合である。そして、その前記四次候補端末による前記対象業務の履行が行われる。
【０２４２】
当該場合においては、前記委託試行端末からの委託情報に係る再委託やその再委託に係る受託は存在し得ない。
【０２４３】
また、前記一次候補端末は、前記管理装置からの前記打診情報の送付を受ける前に、予め、所定の情報を取得し、保持しても構わない。その場合、前記一次候補端末は、前記打診情報に含まれる前記対象情報が前記所定の情報である場合に、前記打診情報に対する前述の応答を行う。そして、前記一次候補端末は、前記四次候補端末に選定された場合に、予め保持していた前記対象情報を前記管理装置に送付する。その場合において、前記対象情報は、過去に取得した前記所定の情報のうちの最新のものであっても構わない。また、前記対象情報は、過去の異なる複数の時刻において取得した前記所定の情報の組合せであっても構わない。
【０２４４】
また、前記管理装置は、前記受託対価案を複数の前記三次候補端末間で、オークション形式で競争させることにより、前記最安対価案及び前記四次候補端末が選定する構成を備えても構わない。
【０２４５】
前記管理装置は、前記最安対価案に加えて、あるいは前記最安対価案に代えて、他の条件により、前記四次候補端末を決定しても構わない。その場合において、前記管理装置は、前記四次候補端末を、前記受託試行端末の所有者等が最も重視する条件により決定しても構わない。
【０２４６】
また、前記管理装置は、過去に行われた委託に係る、打診情報とその打診情報に係る成果情報を保持しても構わない。その場合において、前記管理装置は、他の委託試行端末から、その打診情報に含まれる対象業務と同じ対象業務を含む打診情報の送付があった場合に、既に保持している前記成果情報を送付しても構わない。
【０２４７】
前記管理装置は、また、前記一次候補端末の位置を地図上に表した情報を作成し、保持しても構わない。その場合において、前記管理装置は、作成した前記地図上に表した情報を、前記委託試行端末に送付しても構わない。これにより、前記管理装置は、前記委託試行端末の所有者等が前記対象位置に設定できる位置を容易に把握することを可能にし得る。
【０２４８】
前記管理装置は、過去の前記委託の対価に係る情報を前記委託試行端末に送付しても構わない。前記対価に係る情報は、例えば、前記対価の平均、最大値又は最小値である。これにより、前記管理装置は、前記委託試行端末の所有者等による委託の成立しやすい条件の設定を支援し得る。
【０２４９】
図１４は、実施形態の通信装置の最小限の構成である通信装置１００ｘの構成を表す概念図である。
【０２５０】
通信装置１００ｘは、特定部１２０ａｘと、保持部１３０ｘと、通信部１１０ｘと、決済処理部１２０ｃｘとを備える。
【０２５１】
特定部１２０ａｘは、取得情報の取得に係る打診信号により指定された採取位置から、端末群に含まれる、前記取得のために採取情報の採取を要請すべき候補端末の所在範囲を特定する。
【０２５２】
保持部１３０ｘは、前記採取情報の内容と前記端末群の各端末の位置とを保持する。
【０２５３】
通信部１１０ｘは、前記候補端末からの、前記要請に応じた前記採取情報の送付を受け、前記採取情報による前記取得情報を前記打診信号の送付元に送出する。前記候補端末は、前記位置が前記所在範囲に含まれ、前記要請の実行に対し受諾の旨の応答信号を返し、さらに所定の条件を満たすものである。
【０２５４】
決済処理部１２０ｃｘは、前記送出の対価の決済を所定の決済システムに行わせる。
【０２５５】
前記採取は、前記候補端末がたまたま前記所在範囲にあるときに行われるものである。そのため、通信装置１００ｘは、前記送付元の所有者等や前記所有者等に委託等された者が、前記採取位置に出向かなくても、前記取得ができる確率を向上させ得る。そのため、前記通信システムは、前記第一情報を取得するための費用を低減させ得る。
【０２５６】
さらには、前記通信システムは前記送出の対価を決済し得る。すなわち、前記通信システムは、前記取得のための費用の処理を行い得る。
【０２５７】
そのため、通信装置１００ｘは、前記構成により、［発明の効果］の項に記載した効果を奏する。
【０２５８】
なお、上記における採取位置は、採取を行う位置又は範囲を意味するものとする。
通信装置１００ｘは、例えば、図３に表す管理装置１００ａである。
【０２５９】
その場合において、特定部１２０ａｘは、処理部１２０に含まれる。処理部１２０が図４に表す処理部１２０ａである場合には、特定部１２０ａｘは、位置情報処理部１２１に含まれる。
【０２６０】
また、その場合において、保持部１３０ｘは、記録部１３０に含まれる。
【０２６１】
また、その場合において、通信部１１０ｘは、通信部１１０に含まれる。
【０２６２】
また、その場合において、決済処理部１２０ｃｘは、処理部１２０に含まれる。処理部１２０が図４に表す処理部１２０ａである場合には、決済処理部１２０ｃｘは、決済処理部１２３に含まれる。
【０２６３】
また、前記送付元は、例えば、前記委託試行端末である。また、前記取得情報は、例えば、図１に表す管理装置１００が前記候補試行端末に送付する、前記委託の成果に係る前記対象情報である。また、前記採取情報は、例えば、再委託先である四次候補端末が管理装置１００に送付する、前記再委託の成果に係る前記対象情報である。
【０２６４】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０２６５】
また、前記の実施形態の一部又は全部は、以下の付記のようにも記述され得るが、以下には限られない。
【０２６６】
（付記１）
取得情報の取得に係る打診信号により指定された採取位置から、端末群に含まれる、前記取得のために採取情報の採取を要請すべき候補端末の所在範囲を特定する特定部と、
前記採取情報の内容と前記端末群の各端末の位置とを保持する保持部と、
前記位置が前記所在範囲に含まれ、前記要請の実行に対し受諾の旨の応答信号を返し、さらに所定の条件を満たす、前記候補端末からの、前記要請に応じた前記採取情報の送付を受け、前記採取情報による前記取得情報を前記打診信号の送付元に送出する通信部と、
前記送出の対価の決済を所定の決済システムに行わせる決済処理部と、
を備える通信装置。
【０２６７】
（付記２）
前記決済処理部が、前記送付の決済を第二決済システムに行わせる、付記１に記載された通信装置。
【０２６８】
（付記３）
前記第二決済システムが前記決済システムである、付記２に記載された通信装置。
【０２６９】
（付記４）
前記取得情報が前記採取情報を加工することにより導出する情報である、付記１乃至付記３に記載された通信装置。
【０２７０】
（付記５）
前記取得情報と前記採取情報が同一である、付記１乃至付記４に記載された通信装置。
【０２７１】
（付記６）
前記位置に係る位置情報の更新を行う、付記１乃至付記５のうちのいずれか一に記載された通信装置。
【０２７２】
（付記７）
前記更新が、直近の前記位置情報へ置き換える処理を含む、付記６に記載された通信装置。
【０２７３】
（付記８）
前記更新が、所定の時間以上前に保持された前記位置情報を削除する処理を含む、付記５又は付記６に記載された通信装置。
【０２７４】
（付記９）
前記通信部が、前記送付元に前記送出の対価に係る対価案である送出対価案を送る、付記１乃至付記８のうちのいずれか一に記載された通信装置。
【０２７５】
（付記１０）
前記送出対価案を前記候補端末から送られた前記送付の対価案である送付対価案から導く、付記９に記載された通信装置。
【０２７６】
（付記１１）
前記送付対価案を前記送出対価案とする、付記１０に記載された通信装置。
【０２７７】
（付記１２）
前記範囲が、前記採取位置から所定の距離の範囲である、付記１乃至付記１１のうちのいずれか一に記載された通信装置。
【０２７８】
（付記１３）
前記採取位置における前記取得の履行である第一内容の委託である第一委託を試行する前記送付元が送る、前記第一内容を表す情報を含む情報である第一情報、に含まれる前記採取位置の位置情報である第一位置情報から前記採取位置の周囲の範囲である前記所在範囲を特定する前記特定部と、
前記第一内容から導いた第二内容と、前記第二内容の委託である第二委託を行い得る前記候補端末である一次候補端末の各々が送った前記一次候補端末の各々の位置を表す情報である第二位置情報と、を保持する前記保持部と、
前記所在範囲内の前記一次候補端末を二次候補端末とする選択部と、
前記二次候補端末の各々に前記第二内容を表す情報である第二情報を送り、前記第二委託を請ける旨の応答を行った前記二次候補端末である三次候補端末に対し前記第二委託を行う旨を表す情報である委託情報を送り、前記送付元に前記第一委託に係る受託を行う旨を表す情報である受託情報を送り、前記第二委託に係る受託の成果である前記採取情報の前記三次候補端末からの前記送付を受け、前記採取情報により導かれた前記第二内容に係る成果である前記取得情報を前記送付元に前記送出する前記通信部と、
前記第一委託に係る支払の受取に係る決済である第一決済と前記第二委託に係る支払に係る決済である第二決済とを決済システムに行わせる決済処理部と、
を備える、付記１乃至付記１２のうちのいずれか一に記載された通信装置。
【０２７９】
（付記１４）
前記第一内容と前記第二内容が同一である、付記１３に記載された通信装置。
【０２８０】
（付記１５）
前記通信部が、前記二次候補端末の各々に前記第二委託に係る対価案である第二委託対価案を送る、付記１３又は付記１４のうちのいずれか一に記載された通信装置。
【０２８１】
（付記１６）
前記第二委託対価案を前記第一情報に含まれる第一委託対価案から導く、付記１５に記載された通信装置。
【０２８２】
（付記１７）
前記第二委託対価案を前記第一委託対価案とする、付記１６に記載された通信装置。
【０２８３】
（付記１８）
前記通信部が、前記第二委託対価案を前記第二情報とともに送る、付記１５乃至付記１７のうちのいずれか一に記載された通信装置。
【０２８４】
（付記１９）
前記通信部が、前記送付元に対し、前記第一委託の対価に係る受託対価案である第一受託対価案を送る、付記１３乃至付記１８のうちのいずれか一に記載された通信装置。
【０２８５】
（付記２０）
前記第一受託対価案を前記三次候補端末から送られた前記第二委託に係る受託対価案である第二受託対価案から導出する、付記１９に記載された通信装置。
【０２８６】
（付記２１）
前記第二委託に係る支払の決済を第一決済システムに行わせる、付記１３乃至付記２０のうちのいずれか一に記載された通信装置。
【０２８７】
（付記２２）
前記採取情報の前記三次候補端末からの前記送付を受けた場合に、前記第二委託に係る支払の決済を第一決済システムに行わせる、付記２１に記載された通信装置。
【０２８８】
（付記２３）
前記第一委託に係る支払の決済を第二決済システムに行わせる、付記１３乃至付記２２のうちのいずれか一に記載された通信装置。
【０２８９】
（付記２４）
前記取得情報の前記送付元への前記送出を行った場合に、前記第一委託に係る支払の決済を、第二決済システムに行わせる、付記２３に記載された通信装置。
【０２９０】
（付記２５）
前記三次候補端末から四次候補端末の選定を行い、前記委託情報を前記四次候補端末に対して送る、付記１３乃至付記２４のうちのいずれか一に記載された通信装置。
【０２９１】
（付記２６）
前記選定を前記三次候補端末から送られた前記第二委託に係る受託対価案である第二受託対価案により行う、付記２５に記載された通信装置。
【０２９２】
（付記２７）
前記第二受託対価案が最も安価な前記三次候補端末を前記四次候補端末に選定する、付記２６に記載された通信装置。
【０２９３】
（付記２８）
前記四次候補端末から送られた前記第二受託対価案を、前記第一委託に係る受託対価案である第一受託対価案として、前記送付元に送る、付記２７に記載された通信装置。
【０２９４】
（付記２９）
前記第一受託対価案に承諾する旨を表す承諾情報が前記送付元から送られた場合に、前記委託情報を前記四次候補端末に送る、付記２８に記載された通信装置。
【０２９５】
（付記３０）
前記対象情報が、温度、湿度、画像、画像からの導出情報のうちの少なくとも一つ、又は、それらの情報とそれらの情報の取得時刻とを組み合わせた情報である、付記１３乃至付記２９のうちのいずれか一に記載された通信装置。
【０２９６】
（付記３１）
前記送付元が前記一次候補端末でもある、付記１３乃至付記３０のうちのいずれか一に記載された通信装置。
【０２９７】
（付記１０１）
付記１乃至付記３１のうちのいずれか一に記載された通信装置と、前記送信元とを備える、通信システム。
【０２９８】
（付記１０２）
付記１乃至付記３１のうちのいずれか一に記載された通信装置と、前記候補端末とを備える、通信システム。
【０２９９】
（付記１０３）
前記送信元をさらに備える、付記１０２に記載された通信システム。
【０３００】
（付記２０１）
取得情報の取得に係る打診信号により指定された採取位置から、端末群に含まれる、前記取得のために採取情報の採取を要請すべき候補端末の所在範囲を特定し、
前記採取情報の内容と前記端末群の各端末の位置とを保持し、
前記位置が前記所在範囲に含まれ、前記要請の実行に対し受諾の旨の応答信号を返し、さらに所定の条件を満たす、前記候補端末からの、前記要請に応じた前記採取情報の送付を受け、前記採取情報による前記取得情報を前記打診信号の送付元に送出し、
前記送出の対価の決済を所定の決済システムに行わせる、
通信方法。
【０３０１】
（付記３０１）
取得情報の取得に係る打診信号により指定された採取位置から、端末群に含まれる、前記取得のために採取情報の採取を要請すべき候補端末の所在範囲を特定する処理と、
前記採取情報の内容と前記端末群の各端末の位置とを保持する処理と、
前記位置が前記所在範囲に含まれ、前記要請の実行に対し受諾の旨の応答信号を返す処理と、さらに所定の条件を満たす、前記候補端末からの、前記要請に応じた前記採取情報の送付を受け、前記採取情報による前記取得情報を前記打診信号の送付元に送出する処理と、
前記送出の対価の決済を所定の決済システムに行わせる処理と、
をコンピュータに実行させる通信プログラム。
【符号の説明】
【０３０２】
１００、１００ａ    管理装置
１２０ａｘ    特定部
１２０ｃｘ    決済処理部
１３０ｘ    保持部
２００    通信網
３００、３００ａ、４００ａ、４００ｂ、４００ｃ、４０１    端末
１１０、１１０ｘ、３１０、４１０    通信部
１２０、１２０ａ、３２０、４２０    処理部
１２１    位置情報処理部
１２２    再委託処理部
１２３    決済処理部
１３０、３３０、４３０    記録部
３４０    入力部
３５０    出力部
４４０    入力部
４５０    出力部
４６０    位置測定部
４７０    情報取得部
５００    決済システム
８００、９００    通信システム
【図１】
2019057180.tif 000003
【図２】
2019057180.tif 000004
【図３】
2019057180.tif 000005
【図４】
2019057180.tif 000006
【図５】
2019057180.tif 000007
【図６】
2019057180.tif 000008
【図７】
2019057180.tif 000009
【図８】
2019057180.tif 000010
【図９】
2019057180.tif 000011
【図１０】
2019057180.tif 000012
【図１１】
2019057180.tif 000013
【図１２】
2019057180.tif 000014
【図１３】
2019057180.tif 000015
【図１４】
2019057180.tif 000016